(57)【要約】【課題】ナット等の締結及び弛緩作業にかかる手間を軽減することにより、作業効率を向上させて作業時間の短縮を図ることが可能なスパナを提供する。【解決手段】両口スパナ１は、作業者が把持するための柄２と、柄２の一端部に形成され、ナット等を挟み込む第一スパナ口３と、第一スパナ口３の奥端部に形成され、ナット等を収容する第一収容部４と、柄２の他端部に形成され、ナット等を挟み込む第二スパナ口５と、第二スパナ口５の奥端部に形成され、ナット等を収容する第二収容部６とを備えている。ナット等の締結及び弛緩作業を行うときは、ナット等を第一スパナ口３で掛止して所定角度回動させた後、第一収容部４にナット等を収容し、ナット等を軸として両口スパナ１を所定角度分旋回させると、再びナット等を第一スパナ口３で掛止して回動させることができる。これにより、両口スパナ１を抜差する手間が軽減され、作業効率が向上される。【選択図】　　　　図１
2004074345.tif 000002
【特許請求の範囲】
【請求項１】
工具掛けを有する締結部材の該工具掛けを掛止して、該締結部材を回動させるスパナであって、
前記工具掛けを掛止するスパナ口と、
該スパナ口の奥端部に設けられ、前記締結部材の工具掛けを回動可能に収容する収容部と
を具備することを特徴とするスパナ。
【請求項２】
前記収容部の内周面は、略円形状に形成されていることを特徴とする請求項１に記載のスパナ。
【請求項３】
前記収容部に収容された前記締結部材に当接して、該締結部材を前記スパナ口の方へ押進する押進部を具備することを特徴とする請求項１または請求項２に記載のスパナ。
【請求項４】
前記押進部は、前記スパナ口の方へ付勢されることを特徴とする請求項３に記載のスパナ。
【発明の詳細な説明】
【０００１】
【発明の属する技術分野】
本発明は、スパナに関するものであり、特に、ナットやボルト等（以下、ナット等という）の締結及び弛緩作業の作業性が向上されるスパナに関するものである。
【０００２】
【従来の技術】
従来、ナット等の締結及び弛緩作業を行う工具として、種々のものが案出されている。例えば、作業者が把持するための柄と、柄の端部に形成され、ナット等を被嵌する被嵌部とを有し、ナット等を被嵌部で掛止して回動させることにより、締結及び弛緩作業が行えるボックスレンチや、柄と、柄の端部に形成され、ナット等を挟み込むスパナ口とを有し、ナット等をスパナ口で掛止して回動させることにより、締結及び弛緩作業が行えるスパナが広く知られている。
【０００３】
ボックスレンチは、ナット等を上方から被嵌するため、ナット等の締結箇所に、被嵌部を上下させて嵌め外しが行える高さを有する空間が必要となっている。一方、スパナは、ナット等を側方から挟み込めることから、ボックスレンチが使用できない狭い空間内であっても、ナット等を掛止して回動させることが可能である。このため、自動車の整備等、作業者が手を入れ難い締結箇所でナット等の締結及び弛緩作業を行う場合は、スパナが好適に使用されている。
【０００４】
【発明が解決しようとする課題】
従来のスパナを使用してナット等を回動させるときは、先ずナット等をスパナ口に挟み込み、ナット等を所定角度（例えば６０°）回動させた後、スパナ口を抜き取り、ナット等を回動させた方向とは反対方向にスパナを所定角度分移動させ、再びナット等をスパナ口に挟み込み、ナット等を回動させるといった動作が繰返し行われる。すなわち、スパナでナット等を一回締付ける又は緩める度にスパナの抜差を行う必要があるため、スパナによる締結及び弛緩作業は、長い時間を要することになり、作業効率が極めて悪かった。
【０００５】
また、スパナ口は、ナット等を掛止する上顎の作用面と下顎の作用面との間隔（以下、二面間隔と称す）が、ナット等の短径（例えば六角ナットであれば対向する側面の間隔）より若干大きく形成されているだけでなので、スパナ口の作用面の面方向とナット等の側面の面方向とが略一致しないと、ナット等をスパナ口に挟み込むことができなくなっている。そして、前述したように、スパナによる締結及び弛緩作業は、狭い空間内で行うことが多く、また締結箇所において手元が薄暗くなることがあり、ナット等を視覚的に認識しづらいことから、スパナ口を一旦抜き取った後に、再度ナット等をスパナ口に挟み込む動作は、容易ではなかった。
【０００６】
なお、ラチェット機構により、ナット等を連続的に回動させることができるラチェットレンチでは、ナット等を被嵌する被嵌部に一旦ナット等を嵌め込むと、被嵌部の嵌め外しを行う必要がないことから、かかる手間を省くことにより、作業者の労力の軽減と作業時間の短縮とが図られている。ところが、ラチェットレンチは、前述したボックスレンチと同様に、ナット等を上方から被嵌するため、狭い空間内では使用することができないものであった。
【０００７】
そこで、本発明は上記実状に鑑み、ナット等の締結及び弛緩作業にかかる手間を軽減することにより、作業効率を向上させて作業時間の短縮を図ることが可能なスパナの提供を課題とするものである。
【０００８】
【課題を解決するための手段】
請求項１の発明にかかるスパナは、工具掛けを有する締結部材の該工具掛けを掛止して、該締結部材を回動させるスパナであって、前記工具掛けを掛止するスパナ口と、該スパナ口の奥端部に設けられ、前記締結部材の工具掛けを回動可能に収容する収容部とを具備するものである。
【０００９】
ここで、「締結部材」としては、ナットやボルトを例示することができるが、これに限定するものではなく、一方向（例えば時計廻り）に回動させることにより、螺旋状に設けられたねじ山による螺嵌等によって、部材と部材とを固定するものであればよい。
【００１０】
また、「工具掛け」とは、締結部材を回動させるときに、工具によって掛止される部位のことであり、「周縁形状が四角形状又は六角形状に形成された締結部材における対向する側面」を例示することができる。なお、「工具掛け」は、これに限定するものではなく、締結部材が使用される箇所や環境に応じて、工具が掛止できる形状に形成されていればよい。
【００１１】
したがって、請求項１の発明のスパナによれば、締結部材の締結及び弛緩作業を行うときは、先ず締結部材の工具掛けをスパナ口に挟み込み、締結部材を所定角度回動させた後、締結部材の工具掛けを収容部に収容させる。そして、締結部材を軸として、締結部材を回動させた方向とは反対方向にスパナを所定角度分旋回させ、その後、再び締結部材の工具掛けをスパナ口に挟み込み、締結部材を回動させる。この動作を繰返し行うことにより、締結部材を連続的に回動させて、締結及び弛緩作業を行うことが可能である。これにより、スパナを抜差する手間を省くことができ、締結及び弛緩作業の作業効率が向上される。
【００１２】
請求項２の発明にかかるスパナは、請求項１に記載のスパナにおいて、前記収容部の内周面は、略円形状に形成されているものである。
【００１３】
したがって、請求項２の発明のスパナによれば、請求項１の発明の作用に加え、締結部材を収容部に収容して所定角度分旋回する際に、収容部の内周面に締結部材が引っ掛かることはなく、旋回が円滑に行える。
【００１４】
請求項３の発明にかかるスパナは、請求項１または請求項２に記載のスパナにおいて、前記収容部に収容された前記締結部材に当接して、該締結部材を前記スパナ口の方へ押進する押進部を具備するものである。
【００１５】
したがって、請求項３の発明のスパナによれば、請求項１または請求項２の発明の作用に加え、収容部に収容された締結部材は、押進部に押進されて、収容部に開口したスパナ口の方へ移動される。このため、スパナを所定角度分旋回させて、再び締結部材をスパナ口に挟み込むときに、作業者の労力は、さらに軽減される。なお、押進部を収容部内に設ければ、全体をコンパクトに納めることができる。
【００１６】
また、締結部材を六角ナットや六角ボルト等（以下、六角ナット等という）とする場合、前述したように、スパナ口の二面間隔は、六角ナット等の短径より若干大きく形成されているだけなので、収容部に六角ナット等を収容してスパナを旋回させるときは、スパナ口の作用面の面方向と六角ナット等の側面の面方向とが一致しないと、スパナ口の端部に六角ナット等が引っ掛かる。よって、たとえ締結部材が押進部によって押進されるとしても、スパナ口に六角ナット等は挟み込まれず、旋回を円滑に行うことができる。一方、スパナを所定角度分旋回させて、スパナ口の作用面の面方向と六角ナットの側面の面方向とが略一致すると、押進部による押進力が開放されて六角ナット等がスパナ口の方へ移動され、六角ナット等は自動的にスパナ口に挟み込まれる。このように、作業者はスパナを旋回させていくだけで、スパナが所定角度分旋回したときに六角ナット等がスパナ口に挟み込まれるため、六角ナット等、周縁形状が多角形状に形成されて、対向する側面を有する締結部材の締結及び弛緩作業に好適である。
【００１７】
請求項４の発明にかかるスパナは、請求項３に記載のスパナにおいて、前記押進部は、前記スパナ口の方へ付勢されるものである。
【００１８】
ここで、押進部が付勢される態様としては、具体的な構成を限定するものではないが、「ばね等の弾性部材の弾性力によるもの」を例示することができる。
【００１９】
したがって、請求項４の発明のスパナによれば、請求項３に記載の発明の作用に加え、収容部に収容された締結部材は、効果的にスパナ口の方へ押進されるため、締結及び弛緩作業の作業効率がさらに向上される。
【００２０】
【発明の実施の形態】
以下、本発明の第一実施形態の両口スパナについて、図１乃至図３に基づき説明する。図１は第一実施形態である両口スパナの構成を示す平面図であり、図２は両口スパナを使用して六角ナットを締結する状態を示す平面図であり、図３は両口スパナを旋回させる状態を示す平面図である。
【００２１】
図１に示すように、両口スパナ１は、ナット等の締結及び弛緩作業を行うためのものであり、作業者が把持するための柄２と、柄２の一端部に形成され、ナット等を挟み込む第一スパナ口３と、第一スパナ口３の奥端部に形成され、ナット等を収容する第一収容部４と、柄２の他端部に形成され、ナット等を挟み込む第二スパナ口５と、第二スパナ口５の奥端部に形成され、ナット等を収容する第二収容部６とを備えている。なお、第一収容部４及び第二収容部６の内周面は、共に略円形状に形成されており、第一収容部４及び第二収容部６内にナット等を収容し、ナット等を軸として両口スパナ１を円滑に旋回させることが可能である。
【００２２】
また、第一スパナ口３は、挟み込んだナット等を掛止して回動させる作用面３ａ，３ｂを有しており、第二スパナ口５は、挟み込んだナット等を掛止して回動させる作用面５ａ，５ｂを有している。そして、第一スパナ口３の作用面３ａ及び３ｂの間隔Ｗ１と、第二スパナ口５の作用面５ａ及び５ｂの間隔Ｗ２とは、異なった長さに形成されている。このため、両口スパナ１は、ナット等の大きさに合わせて、第一スパナ口３及び第二スパナ口５を使い分けることが可能である。
【００２３】
次に、第一実施形態の両口スパナ１の使用方法について、図２及び図３に基づき説明する。
【００２４】
六角ナットＮの締結作業を行うときは、先ず六角ナットＮを第一スパナ口３に挟み込む（図２（ａ）参照）。そして、作業者は、両口スパナ１を時計廻り（図示矢印Ａ方向）に所定角度分（本実施例では６０°）回動させて、六角ナットＮを締付ける（図２（ｂ）参照）。なお、本実施例では、六角ナットＮが回動したことを示すため、六角ナットＮには目印Ｐを付してある。
【００２５】
次に、作業者が両口スパナ１を前方（図示矢印Ｂ方向）に平行移動させると（図３（ａ）参照）、六角ナットＮは第一収容部４内に収容され、両口スパナ１が六角ナットＮを軸として旋回可能になる。そして、作業者は、六角ナットＮを回動させた方向とは反対方向（図示矢印Ｃ方向）に、両口スパナ１を６０°旋回させる（図３（ｂ）参照）。このとき、第一スパナ口３の二面間隔Ｗ１は、六角ナットＮの対向する側面の間隔、すなわち六角ナットＮの短径Ｌよりも若干大きく形成されているだけなので、六角ナットＮは、作用面３ａ，３ｂに引っ掛かり、第一スパナ口３に挟み込まれることはなく、旋回を円滑に行うことができる。
【００２６】
そして、両口スパナ１が６０°旋回すると、第一スパナ口３の作用面３ａ，３ｂの面方向と、六角ナットＮの側面の面方向とが略一致するため、作業者が両口スパナ１を後方手前側（図示矢印Ｄ方向）に平行移動させることにより、再び六角ナットＮは第一スパナ口３に挟み込まれる（図３（ｃ）参照）。よって、作業者は、上記の動作を繰返し行うことにより、六角ナットＮの締結作業を完了できる。
【００２７】
なお、六角ナットＮの弛緩作業については、上記の動作を全く反対の手順で行うだけなので、詳細な説明は省略するが、締結作業と同様、六角ナットＮを連続して回動させて作業を行うことが可能である。
【００２８】
このように、上記第一実施形態では、六角ナットＮの締結及び弛緩作業において、第一スパナ口３で六角ナットＮを所定角度回動させた後、六角ナットＮを第一収容部４に収容することにより、六角ナットＮを軸として両口スパナ１を所定角度分旋回させて、再び六角ナットＮを第一スパナ口３で回動させることが可能である。これにより、六角ナットＮを回動させる度に、両口スパナ１を抜差する必要はなく、六角ナットＮを連続して回動させることができ、六角ナットＮの締結及び弛緩作業の作業効率を向上させることが可能である。
【００２９】
また、両口スパナ１は、二面間隔の長さが異なる第一スパナ口３及び第二スパナ口５を有するため、六角ナットＮの大きさに合わせて締結及び弛緩作業を行うことが可能である。
【００３０】
続いて、本発明の第二実施形態の両口スパナについて、図４及び図５に基づき説明する。図４は第二実施形態である両口スパナを使用して六角ナットを締結する状態を示す平面図であり、図５は両口スパナを旋回させる状態を示す平面図である。なお、第一実施形態の両口スパナ１と同じ構成については、同一番号を付し詳細な説明を省略する。
【００３１】
図４に示すように、両口スパナ７は、ナット等の締結及び弛緩作業を行うためのものであり、ナット等を挟み込む第三スパナ口８と、第三スパナ口８の奥端部に形成され、ナット等を収容する第三収容部９と、ナット等を挟み込む第四スパナ口（図示しない）と、第四スパナ口の奥端部に形成され、ナット等を収容する第四収容部（図示しない）とを備えている。なお、第三収容部９及び第四収容部の内周面は、共に略円形状に形成されており、第三収容部９及び第四収容部内にナット等を収容し、ナット等を軸として両口スパナ７を円滑に旋回させることが可能である。
【００３２】
また、第三スパナ口８は、挟み込んだナット等を掛止して回動させる作用面８ａ，８ｂを有している。さらに、第三収容部９の内周面には、第三収容部９内に収容されるナット等に当接してナット等を押進する押進部１０と、弾性力により押進部１０を第三スパナ口８の方へ付勢するバネ１２とを収容する凹部１１が形成されている。なお、凹部１１の底部には、バネ１２を格納するバネ格納部１３が凹設されており、凹部１１に押進部１０が収容されてバネ１２が縮んだときに、バネ１２の動きを抑制し、バネ１２は折れ曲がらないように格納される。
【００３３】
次に、第二実施形態の両口スパナ７の使用方法について、図４及び図５に基づき説明する。
【００３４】
六角ナットＮの締結作業を行うときは、先ず六角ナットＮを第三スパナ口８に挟み込む（図４（ａ）参照）。そして、作業者は、両口スパナ７を時計廻り（図示矢印Ａ方向）に所定角度分（本実施例では６０°）回動させて、六角ナットＮを締付ける（図４（ｂ）参照）。
【００３５】
次に、作業者が両口スパナ７を前方（図示矢印Ｂ方向）に平行移動させると（図５（ａ）参照）、六角ナットＮは第三収容部９内に収容されるとともに、バネ１２が縮んで押進部１０が凹部１１内に収容され、両口スパナ７が六角ナットＮを軸として旋回可能になる。そして、作業者は、六角ナットＮを回動させた方向とは反対方向（図示矢印Ｃ方向）に、両口スパナ７を６０°旋回させる（図５（ｂ）参照）。このとき、押進部１０は、バネ１２の弾性力により、六角ナットＮを第三スパナ口８の方へ押進するが、第三スパナ口８の二面間隔は、六角ナットＮの短径Ｌよりも若干大きく形成されているだけなので、六角ナットＮは作用面８ａ，８ｂに引っ掛かり、第三スパナ口８に挟み込まれることはなく、旋回を円滑に行うことができる。
【００３６】
そして、両口スパナ７が６０°旋回して、第三スパナ口８の作用面８ａ，８ｂの面方向と、六角ナットＮの側面の面方向とが略一致すると、六角ナットＮを押進する押進力によって両口スパナ７が後方手前側（図示矢印Ｄ方向）に平行移動し、再び六角ナットＮは第三スパナ口８に挟み込まれる（図５（ｃ）参照）。詳しくは、二つの面方向が一致することによって、押進部１０による押進力が開放され、このとき六角ナットＮは締結箇所に固定されていることから、六角ナットＮを第三スパナ口８の方へ押進する押進力は、両口スパナ７を後方手前側に押進する押進力になり、両口スパナ７が押進されて平行移動し、六角ナットＮは第三スパナ口８に挟み込まれる。よって、作業者は、上記の動作を繰返し行うことにより、六角ナットＮの締結作業を完了できる。
【００３７】
なお、六角ナットＮの弛緩作業については、上記の動作を全く反対の手順で行うだけなので、詳細な説明は省略するが、締結作業と同様、六角ナットＮを連続して回動させて作業を行うことが可能である。
【００３８】
このように、上記第二実施形態では、第三収容部９内に押進部１０とバネ１２とを設けることにより、作業者は両口スパナ７を所定角度分旋回させるだけで、バネ１２の弾性力によって両口スパナ７が平行移動し、第三スパナ口８に六角ナットＮが再び挟み込まれるため、作業者の労力がさらに軽減され、六角ナットＮの締結及び弛緩作業の作業効率を向上させることができる。
【００３９】
以上、本発明について好適な二つの実施形態を挙げて説明したが、本発明はこれらの実施形態に限定されるものではなく、以下に示すように、本発明の要旨を逸脱しない範囲において、種々の改良及び設計の変更が可能である。
【００４０】
すなわち、上記第一及び第二実施形態では、柄の両端部にスパナ口が形成されるものを示したが、これに限定するものではなく、一方の端部にのみ形成されるようにしてもよい。
【００４１】
また、上記第二実施形態では、六角ナットＮを押進する押進部１０を、第三スパナ口８の方へ付勢するものとしてバネ１２を示したが、これに限定するものではなく、押進部１０が第三スパナ口８の方へ付勢されるものであればよい。
【００４２】
【発明の効果】
以上のように、請求項１の発明のスパナは、抜差する手間を省いて締結部材を連続的に回動させることができるため、締結及び弛緩作業の作業効率が向上され、作業者の労力の軽減と作業時間の短縮とを図ることが可能である。
【００４３】
請求項２の発明のスパナは、請求項１の発明の効果に加え、旋回が円滑に行えるため、締結及び弛緩作業を遅滞なく進行させることができる。
【００４４】
請求項３の発明のスパナは、請求項１または請求項２の発明の効果に加え、作業者がスパナを移動させることなく締結部材がスパナ口まで移動されるので、手元が薄暗い等、締結及び弛緩作業のし難い締結箇所において、作業性が向上されて好適に使用することが可能である。
【００４５】
請求項４の発明のスパナは、請求項１乃至請求項３のいずれか一つの発明の効果に加え、締結部材が効果的にスパナ口まで移動されるので、作業性がさらに向上されて、より好適に使用することが可能である。
【図面の簡単な説明】
【図１】本発明の第一実施形態である両口スパナの構成を示す平面図である。
【図２】（ａ）は両口スパナの第一スパナ口に六角ナットを挟み込んだ状態を示す平面図であり、（ｂ）は両口スパナを使用して六角ナットを所定角度回動させた状態を示す平面図である。
【図３】（ａ）は両口スパナの第一収容部に六角ナットを収容した状態を示す平面図であり、（ｂ）は両口スパナを旋回させる状態を示す平面図であり、（ｃ）は両口スパナの第一スパナ口に再び六角ナットを挟み込んだ状態を示す平面図である。
【図４】（ａ）は本発明の第二実施形態である両口スパナの第三スパナ口に六角ナットを挟み込んだ状態を示す平面図であり、（ｂ）は両口スパナを使用して六角ナットを所定角度回動させた状態を示す平面図である。
【図５】（ａ）は両口スパナの第三収容部に六角ナットを収容した状態を示す平面図であり、（ｂ）は両口スパナを旋回させる状態を示す平面図であり、（ｃ）は両口スパナの第三スパナ口に再び六角ナットを挟み込んだ状態を示す平面図である。
【符号の説明】
１，７　両口スパナ（スパナ）
３　第一スパナ口（スパナ口）
４　第一収容部（収容部）
５　第二スパナ口（スパナ口）
６　第二収容部（収容部）
８　第三スパナ口（スパナ口）
９　第三収容部（収容部）
１０　押進部
Ｎ　六角ナット（締結部材）
【図１】
2004074345.tif 000003
【図２】
2004074345.tif 000004
【図３】
2004074345.tif 000005
【図４】
2004074345.tif 000006
【図５】
2004074345.tif 000007